(57)【要約】【課題】傾斜屋根面を有する屋根本体を建物本体の上部平面部に置き、この建物本体の上部平面部のうち前記屋根本体の周囲を陸屋根部とした屋根構造において、その排水溝部の設置スペースを小さくし得て、この種の形態の屋根においても排水溝によって屋根本体の大きさの自由度を増すことができ、また、陸屋根部の構造を複雑化させることのない建物の屋根構造を提供することを目的とする。【解決手段】傾斜屋根面を有する屋根本体を建物本体の上部平面部に置き、この建物本体の上部平面部のうち前記屋根本体の周囲を陸屋根部とした建物の屋根構造であって、四周の陸屋根部は、その長さ方向中央部を高くして屋根の四隅に向けて下り勾配の水勾配が設けられていることを特徴とする。【選択図】　図１
2004003142.tif 000002
【特許請求の範囲】
【請求項１】
傾斜屋根面を有する屋根本体を建物本体の上部平面部に置き、この建物本体の上部平面部のうち前記屋根本体の周囲を陸屋根部とした建物の屋根構造であって、
四周の陸屋根部は、その長さ方向中央部を高くして屋根の四隅に向けて下り勾配の水勾配が設けられていることを特徴とする建物の屋根構造。
【請求項２】
請求項１に記載の建物の屋根構造において、前記建物本体は、複数の建物ユニットを組み合わせて建てられていることを特徴とする建物の屋根構造。
【請求項３】
請求項１に記載の建物の屋根構造において、屋根本体は切妻屋根により構成されていることを特徴とする建物の屋根構造。
【請求項４】
請求項１に記載の建物の屋根構造において、陸屋根部は、屋根の妻側に位置する妻側床部と、屋根の軒側に位置する軒側床部とからなり、妻側床部は、建物の幅に対応して形成されるとともに、軒側床部は、妻側床部の間に配置され、かつ、妻側床部の両端部に排水溝が形成されていることを特徴とする建物の屋根構造。
【請求項５】
請求項４に記載の建物の屋根構造において、軒側床部の少なくとも一つには、建物本体より突出するオーバーハング部の屋根部が連続して形成されており、かつこの屋根部は、軒側床部の形態に合わせて自身の長さ方向中央部を高くして左右両側に向かう下り勾配の水勾配が設けられ、しかも屋根部の左右両側には、雨水を軒側床部に向けて流す形態の水勾配が設けられていることを特徴とする建物の屋根構造。
【発明の詳細な説明】
【０００１】
【発明の属する技術分野】
本発明は、傾斜屋根面を有する屋根本体を建物本体の上部平面部に置き、この建物本体の上部平面部のうち前記屋根本体の周囲を陸屋根部とした建物の屋根構造に関する。
【０００２】
【従来の技術】
従来より、建物には、切妻屋根、寄棟屋根、陸屋根等種々の形態の屋根が設けられている。
例えば、切妻屋根は、大棟の両側にのみ傾斜屋根面を有する屋根であり、寄棟屋根は、大棟から４方向に向かう傾斜屋根面を有する屋根である。これらの屋根は、建物のデザインや地域性、住まう人の好み等により、その形態が選択され、またそれぞれの屋根の形態に応じて、雨樋等が軒側に位置して付設される。
ところで、このような住宅の屋根の一形態として、陸屋根の中央に切妻型の三角形の屋根を配置する構成のものがある（例えば特願２０００−２５２６２５「建物の屋根構造」など）。
【０００３】
この先行技術に開示されている屋根は、単純な飾り屋根ではなく、切妻屋根の小屋裏空間を通って、この小屋裏空間より陸屋根の屋上部分に出られるようにして、開放感のある屋上テラスを提供できる構成となっている。
【０００４】
【発明が解決しようとする課題】
ところで、上記した屋根構造は、傾斜屋根面を有する屋根本体を建物本体の上部平面部に置き、この建物本体の上部平面部のうち前記屋根本体の周囲を陸屋根部とした基本構造となっているため、切妻屋根や寄棟屋根のように、軒先に雨樋を設けるような構成を取ることができず、雨水の排水を陸屋根部において設ける構成としなければならない。
そして、屋根本体の小屋裏空間を大きくとるようにすれば、傾斜屋根面を有する屋根本体が必然的に大きくなり、これに反して周囲の陸屋根部の大きさが小さくなって、排水溝の設置に制限を受ける等の問題が生じる。また、このために陸屋根部の構造も複雑化するなどの問題があった。
【０００５】
本発明は、上記した技術的背景を考慮しなされたもので、傾斜屋根面を有する屋根本体を建物本体の上部平面部に置き、この建物本体の上部平面部のうち前記屋根本体の周囲を陸屋根部とした屋根構造において、その排水溝部の設置スペースを小さくし得て、この種の形態の屋根においても排水溝によって屋根本体の大きさの自由度を増すことができ、また、陸屋根部の構造を複雑化させることのない建物の屋根構造を提供することを目的としている。
【０００６】
【課題を解決するための手段】
前述した技術的課題を解決するために本発明では、以下の構造とした。
すなわち、図１に示すように、請求項１にかかる発明は、傾斜屋根面を有する屋根本体１を図示せぬ建物本体の上部平面部２に置き、この建物本体の上部平面部２のうち前記屋根本体１の周囲を陸屋根部３とした建物の屋根構造であって、四周の陸屋根部３Ａ、３Ｂを、その長さ方向中央部Ｍを高くして屋根の四隅Ｃに向けて下り勾配の水勾配を設けたことを特徴としている。
【０００７】
すちわち、この請求項１にかかる建物の屋根構造によれば、四周の陸屋根部３Ａ、３Ｂの長さ方向中央部Ｍが陸屋根部３の中で一番高い位置となり、ここを頂点として、屋根の四隅Ｃに向かって下り勾配の水勾配が設けられる形態となるため、屋根に降った雨水は傾斜屋根面（図示例では屋根本体１）から陸屋根部３へと流れ、陸屋根部３においては、中央部の一番高い位置Ｍから陸屋根部３の両端Ｃへと雨水が流れることとなる。
したがって、雨水を屋根の四隅Ｃに集中させることが可能となり、排水溝等の設置位置をこの四隅Ｃに設けるようにすれば、排水溝は小さなスペースの中に置くことが可能となる。つまり、陸屋根部３Ａ、３Ｂにおいては、この陸屋根部３Ａ、３Ｂ自身が四隅に向けて水勾配を持っているので、この陸屋根部３Ａ、３Ｂ自身に雨水の排水溝を設ける必要がなく、陸屋根部の構造を複雑化させることがないのである。
【０００８】
ここで、本発明では、前記建物本体は、複数の建物ユニットを組み合わせて建てられる構成であることが好ましい。
この構成では、建物本体がユニットで形成されているため、これら建物ユニットを工場で製造し、建設現場で組み合わせて施工することで現場での施工作業が迅速に行え、また屋根自体は陸屋根部３と、その上部平面部２に傾斜屋根部１を置く形態の屋根であるため、６面体で上部が平面となる建物ユニットで構成された建物に対しての適用性が高いといった利点がある。
【０００９】
さらに本発明では、屋根本体１は切妻屋根により構成されるものであることが好ましい。
この構成では、傾斜屋根部が切妻となるため、妻面に出入り口等を容易に設けることが可能になり、四周の陸屋根部への出入りを容易にすることができる効果がある。
【００１０】
また、本発明では、陸屋根部３Ａ、３Ｂを、屋根の妻側に位置する妻側床部３Ａと、屋根の軒側に位置する軒側床部３Ｂとから構成し、妻側床部３Ａを、建物の幅に対応して形成し、軒側床部３Ｂを、妻側床部３Ａの間に配置する形態とし、かつ、妻側床部３Ａの両端部に排水溝５を形成する構成が好ましい。
この構成では、一対の妻側床部３Ａの間に、一対の軒側床部３Ｂを配置する形態とし得て、陸屋根部の構成を単純化でき、また、これら２組の床部３Ａ、３Ｂにそれぞれ別個に水勾配を形成する構成とすることができるので、水勾配の形成も容易にできるなどの利点がある。
【００１１】
また本発明では、軒側床部３Ｂの少なくとも一つに、建物本体より突出するオーバーハング部１０の屋根部１０Ａを連続して形成し、かつこの屋根部１０Ａも、軒側床部３Ｂの形態に合わせて自身の長さ方向中央部１０Ｂを高くして左右両側に向かう下り勾配の水勾配とし、しかも屋根部の左右両側に、雨水を軒側床部に向けて流す形態の水勾配１０Ｃを設ける構成とすることが好ましい。
この構成では、建物本体にオーバーハング部１０を設けたものにおいて、屋根上面の排水形態を一連のものとすることができ、オーバーハング部１０に降った雨水を屋根部側にすべて導水できる利点がある。
【００１２】
【発明の実施の形態】
以下、本発明の実施形態を図面に基づいて説明する。
図１は屋根の全体構成を示し、この屋根１は、図示せぬ建物本体の上部（上部平面部２）に設けられ、ほぼ正方形をした陸屋根部３と、この陸屋根部３のほぼ中央に設置された切妻型屋根部１とを主体として構成されている。
なお、建物本体としては、本出願人がすでに出願した特願２０００−２５２６２５「建物の屋根構造」などに示される建物ユニットからなる構成のものなどが好適に適用され、柱および梁などから略箱状に形成された骨組に外壁材や内装材を取り付けて構成された建物ユニットを複数組み合わせて形成されるものである。
【００１３】
陸屋根部３は切妻型屋根部１の妻側に位置しほぼ建物本体の幅に等しい大きさの妻側床部３Ａと、切妻型屋根部３の軒側に位置し前記妻側床部３Ａの間に配置される軒側床板部３Ｂとを主体として構成されている。
【００１４】
妻側床部３Ａと軒側床板部３Ｂは、ともに自身の中央部Ｍを他の部分よりも高くして両端に向けて下り勾配の水勾配Ｎが形成されており、図面の矢印に示す方向に雨水が流れ落ちるようになっている。
【００１５】
また、これら妻側床部３Ａと軒側床部３Ｂは、例えばＡＬＣなどの軽量気泡コンクリートなどからなる床版構造とされ、各床版（図面では３Ａ、３Ｂ）の中央部Ｍが床部の頂点となるように、鉄骨で組まれた骨組みなどの上に固定されるものである。
【００１６】
なお、妻側床部３Ａの両端部には排水溝５がそれぞれ設けられ、図示せぬ排水枡に雨水を落とすようになっている。
また、軒側床部３Ｂの両端部はそれぞれ、妻側床部３Ａの側面に突き当たる形態で収められ、軒側床部３Ｂの水勾配で落とされた雨水は軒側床部３Ｂを通って妻側床部３Ａの上面に導かれるようになっている。
【００１７】
切妻型屋根部１としては、周囲の床部（陸屋根部３）に囲まれた居室空間を上から覆うもので、その内部には勾配天井の小屋裏空間Ｓが設けられる。そして、この切妻型屋根部１は、屋根パネルを組み合わせて構成され、床部の設置後設けられるものである。
【００１８】
なお、実施例では、軒側床部３Ｂの一つに建物本体より突出するオーバーハング部１０が連続して形成されており、このオーバーハング部１０は、軒側床部３Ｂの水勾配に対応してオーバーハング部１０上面１０Ａに水勾配が設けられ、この水勾配は上面中央部１０Ｂを山高にして両側に下り勾配に形成され、また両端１０Ｃは若干高くされて雨水を軒側床板部２１に向けて流すようになっている。
【００１９】
なお、本発明は上記実施例の形態に限定されるものではなく、本発明の目的を達成できる範囲での変形、改良等は本発明に含まれるものである。
例えば、前記実施形態では、屋根本体１を切妻屋根としたが、本発明では、傾斜屋根面を有する構成であれば、この構成に限定されるものではなく、例えば、寄棟屋根であっても良い。
【００２０】
【発明の効果】
以上のように本発明によれば、傾斜屋根面を有する屋根本体を建物本体の上部平面部に置き、この建物本体の上部平面部のうち前記屋根本体の周囲を陸屋根部とした屋根構造において、その排水溝部の設置スペースを小さくし得て、この種の形態の屋根においても排水溝によって屋根本体の大きさの自由度を増すことができ、また、陸屋根部の構造を複雑化させることのない建物の屋根構造を提供することができる。
【図面の簡単な説明】
【図１】本発明の実施形態の屋根構造が適用された屋根の斜視図である。
【符号の説明】
１　　　屋根本体
２　　　上部平面部
３　　　陸屋根部
３Ａ　　妻側床部
３Ｂ　　軒側床部
５　　　排水溝
１　　　オーバーハング部
１０Ａ　上面
１０Ｂ　　中央部
１０Ｃ　　両端
Ｓ　　　　小屋裏空間
Ｎ　　　　水勾配
Ｃ　　　　四隅
【図１】
2004003142.tif 000003